(57)【特許請求の範囲】
【請求項１】
パチンコ遊技台で打たれるなどしたパチンコ玉を、下部タンクへ流下させて回収するために、前記パチンコ玉を流下させる流路を設けるとともに、前記流路の途中に、ゴミやほこりを落下させる構成を設けるようにしたパチンコ遊技装置において、
前記流路を、傾斜状に配置して、途中を分断するとともに、前記分断した箇所における上流側の前記流路の下流側の端面と、下流側の前記流路の上流側の端面との間に、前記パチンコ玉が落ちない程度の隙間を設けて配置することにより、前記パチンコ玉の流下方向を横断する方向に１つのスリットを形成して、前記スリットから前記流路の両側面側と底面側との外方に前記ゴミやほこりを落下させるようにした構成
を設けたことを特徴とするパチンコ遊技装置。
【請求項２】
前記分断した箇所において、前記下流側の前記流路を、前記パチンコ玉が落ちない程度の段差を設けて、前記上流側の前記流路よりも低くする構成
を設けたことを特徴とする請求項１記載のパチンコ遊技装置。
【請求項３】
前記流路の断面を上向きのコの字断面に形成した構成
を設けたことを特徴とする請求項１または請求項２記載のパチンコ遊技装置。
【請求項４】
パチンコ遊技台で打たれるなどしたパチンコ玉を、下部タンクへ流下させて回収するために、前記パチンコ玉を流下させる流路を設けるとともに、前記流路の途中に、ゴミやほこりを落下させる構成を設けるようにしたパチンコ遊技装置において、
前記下部タンクの底部側に設けられて前記パチンコ玉を流下させるための傾斜面と、前記パチンコ玉を、前記傾斜面から漏斗状の受け部を介して、下方に配置した玉樋に流下させる流路を構成するとともに、前記傾斜面の下流側の端面と、前記受け部及び前記玉樋の上流側の各端面との間に、前記パチンコ玉が落ちない程度の隙間を設けて配置することにより、
前記傾斜面の下流側の端面と前記受け部及び前記玉樋の上流側の各端面との間に、前記パチンコ玉の流下方向を横断すると共に、前記受け部及び前記玉樋の各両側面側および各底面側から外方に開口している１つのスリットを形成して、前記スリットから前記玉樋の両側面側と底面側との外方に前記ゴミやほこりを落下させるようにした構成
を設けたことを特徴とするパチンコ遊技装置。
【請求項５】
前記ゴミやほこりを受けるためのゴミ受けを、前記スリットの部分の下に、着脱自在に取り付けた構成
を設けたことを特徴とする請求項１〜請求項４のいずれかに記載のパチンコ遊技装置。
【発明の詳細な説明】
【０００１】
【発明の属する技術分野】
この発明は、パチンコ遊技装置のパチンコ遊技台で打たれるなどしたパチンコ玉を、下部タンクへ流下させて回収し、上部タンクに揚送して再びパチンコ遊技台へ流下させて供給するためのパチンコ玉流下路に関し、詳しくは、パチンコ玉流下路に紛れ込むゴミを取るための構造に関する。
【０００２】
【従来の技術】
従来、パチンコ遊技装置において、遊技の結果、入賞があると上部タンクからパチンコ玉がパチンコ遊技台の上皿に払い戻される。入賞が続き、この上皿から溢れたパチンコ玉は、下皿に受けられる。下皿には、レバーで開閉できる底蓋が設けられ、直下の玉箱に通じている。そして、玉箱の底を開けることによって、玉箱に溜まったパチンコ玉を、内蔵した計数装置によって計数し、その後に下部タンクに流下させて回収するように構成したものがある。
【０００３】
他方、打たれたパチンコ玉も、パチンコ遊技台の下部の外れ孔などから流下して、下部タンクに流下し回収される。そして、下部タンクに回収されたパチンコ玉は、揚上装置によって上部タンクに揚送される。
【０００４】
しかし、従来のパチンコ玉流下路は、例えば上面が開放された上向きのコの字断面形状を有して、パチンコ玉を保持流下させる構造であり、上方から落下するゴミやほこりがパチンコ玉の間に混入して、パチンコ玉を汚す恐れがあった。
【０００５】
このため、パチンコ玉より小さな異物をすのこ状レールで選別する第１選別部と、パチンコ玉より大きな異物を選別する第２選別部とを連設した構成が、例えば特開平５−１５４２５０号公報に提案されている。
【０００６】
【発明が解決しようとする課題】
しかしながら、特開平５−１５４２５０号公報に提案された技術は、構成が複雑で製造コストの増加を招くと云った問題点があり、単純な構成で異物が簡単に取り除けるようにする必要があった。
【０００７】
【課題を解決するための手段】
上記の課題を解決するために、本発明の第１の構成のパチンコ遊技装置は、
パチンコ遊技台で打たれるなどしたパチンコ玉を、下部タンクへ流下させて回収するために、前記パチンコ玉を流下させる流路を設けるとともに、前記流路の途中に、ゴミやほこりを落下させる構成を設けるようにしたパチンコ遊技装置において、
前記流路を、傾斜状に配置して、途中を分断するとともに、前記分断した箇所における上流側の前記流路の下流側の端面と、下流側の前記流路の上流側の端面との間に、前記パチンコ玉が落ちない程度の隙間を設けて配置することにより、前記パチンコ玉の流下方向を横断する方向に１つのスリットを形成して、前記スリットから前記流路の両側面側と底面側との外方に前記ゴミやほこりを落下させるようにした構成を設けたことを特徴としている。
【０００８】
また、本発明の第２の構成のパチンコ遊技装置は、上記の第１の構成のパチンコ遊技装置において、前記分断した箇所において、前記下流側の前記流路を、前記パチンコ玉が落ちない程度の段差を設けて、前記上流側の前記流路よりも低くする構成を設けたことを特徴としている。
【０００９】
さらに、本発明の第３の構成のパチンコ遊技装置は、上記の第１の構成または第２の構成のパチンコ遊技装置において、前記流路の断面を上向きのコの字断面に形成した構成を設けたことを特徴としている。
【００１０】
次に、本発明の第４の構成のパチンコ遊技装置は、
パチンコ遊技台で打たれるなどしたパチンコ玉を、下部タンクへ流下させて回収するために、前記パチンコ玉を流下させる流路を設けるとともに、前記流路の途中に、ゴミやほこりを落下させる構成を設けるようにしたパチンコ遊技装置において、
前記下部タンクの底部側に設けられて前記パチンコ玉を流下させるための傾斜面と、前記パチンコ玉を、前記傾斜面から漏斗状の受け部を介して、下方に配置した玉樋に流下させる流路を構成するとともに、前記傾斜面の下流側の端面と、前記受け部及び前記玉樋の上流側の各端面との間に、前記パチンコ玉が落ちない程度の隙間を設けて配置することにより、
前記傾斜面の下流側の端面と前記受け部及び前記玉樋の上流側の各端面との間に、前記パチンコ玉の流下方向を横断すると共に、前記受け部及び前記玉樋の各両側面側および各底面側から外方に開口している１つのスリットを形成して、前記スリットから前記玉樋の両側面側と底面側との外方に前記ゴミやほこりを落下させるようにした構成を設けたことを特徴としている。
【００１１】
ここで、本発明の第５の構成のパチンコ遊技装置は、上記の第１の構成ないし第４の構成のパチンコ遊技装置において、前記ゴミやほこりを受けるためのゴミ受けを、前記スリットの部分の下に、着脱自在に取り付けた構成を設けたことを特徴としている。
【００１２】
【発明の実施の形態】
この発明の実施の形態を図１〜図４に示す。図３および図４は、パチンコ遊技装置１００であって、パチンコ遊技台３が複数台（この図では表側に２台、裏側に２台の合計４台）が１組になってユニットにまとめられた、いわゆる島ユニットと呼ばれるものである。
【００１３】
この島ユニットにおいて、上部タンク１に溜められたパチンコ玉９は、玉貸機２に貨幣や硬貨（コイン）、プリペイドカードが入れられて玉貸機２が動作することで、所定の数が、この玉貸機２が設けられたパチンコ遊技台３の上皿３Ａに供給され、パチンコ遊技台３におけるパチンコ遊技が可能になる。
【００１４】
このパチンコ遊技台３におけるパチンコ遊技の結果、入賞があると上部タンク１から、所定の数のパチンコ玉９が流下しパチンコ遊技台３の上皿３Ａに払い戻される。打たれたパチンコ玉は、パチンコ遊技台３の下部の外れ孔３Ｂなどから流下して、下部タンク５に回収される。
【００１５】
また、パチンコ遊技台３の上皿３Ａから溢れたパチンコ玉９などが、下皿３Ｃに受けられる。下皿３Ｃには、レバー３Ｄで開閉できる底蓋が設けられ、直下の玉箱４に通じている。
【００１６】
玉箱４の底を開けることにより、玉箱４に溜まったパチンコ玉９は、図示しない計数装置により計数され、その後に下部タンク５に流下し回収される。そして、計数結果は図示しないカードなどに記録されて、遊技した人に発行される。
【００１７】
下部タンク５に回収されたパチンコ玉は、揚上装置７によって、揚送パイプ６の中を揚上され、研磨装置８によって表面を研磨されて、上部タンク１に揚送される。このようにしてパチンコ玉９は循環する。
【００１８】
図１に示すように、パチンコ玉９の循環路のうち、パチンコ玉９が自重により流下する流下路１１を、下部タンク５へパチンコ玉９を流下させるものを例に説明する。この流下路１１は、上向きのコの字断面を有し、コの字の内部にパチンコ玉を保持した状態で流下させるレール１３、すなわち、パチンコ玉９を流下させるために、傾斜状に配置された流路で構成されている。
【００１９】
レール１３は、途中が分断され、パチンコ玉９の流下方向を横断するスリット１５が形成され、このスリット１５の流下方向の寸法Ｗはパチンコ玉９の径の略半分（３０％から７０％）、すなわち、パチンコ玉９が落ちない程度の寸法とする。分断された部分は、図示しない手段で、パチンコ遊技装置の内部に固定される。
【００２０】
また、スリット１５の部分は、下流側が低い段差Ｈになるように、分断した部分が上下方向にずらされている。この段差Ｈは、図２（Ａ）のように、パチンコ玉９が落ちない程度の段差になっており、この段差Ｈによる開口部分からも、ゴミやほこりが落下する。
【００２１】
図２（Ａ）に示すように、スリット１５の部分の下には、スリット１５から落下するゴミを受けるゴミ受け箱１７が取り付けられる。この取付は、ゴミ受け箱１７の容器の両外面に水平に設けられたフランジ１９が、パチンコ遊技装置の内部側に一対設けられたリブ２１に支持されて行われる。よって、ゴミ受け箱１７は図の紙面に直角な方向へ水平方向にスライドして着脱自在に取り付けられる。
【００２２】
レール１３は、終端の折り返し部分に、落下窓２３が形成される。この落下窓２３の下には、次のレール１３の始端が位置する。次のレール１３の終端にも落下窓２３が形成され、下部タンク５の上に臨む。
【００２３】
下部タンク５は、概略箱状をなし、レール１３の落下窓２３の下方には、落下するパチンコ玉９を受ける受け傾斜台２５に連続して、緩やかな傾斜面２７を有する底部が位置する。この傾斜面２７の終端部には、略漏斗状の受け部２９が設けられる。
【００２４】
そして、傾斜面２７と受け部２９との間には、前記スリット１５と同様に、パチンコ玉９の流下方向を横断するスリット３１が形成され、このスリット３１の流下方向の寸法Ｗはパチンコ玉９の径の略半分（３０％から７０％）、すなわち、パチンコ玉９が落ちない程度の寸法とする。また、スリット３１の部分は、下流側が低い段差になるように、上下方向にずらされている。
【００２５】
また、図２（Ｂ）に示すように、スリット３１の部分の下には、スリット３１から落下するゴミを受けるゴミ受けパン３３が取り付けられる。ゴミ受けパン３３は、傾斜面２７を有する底部と受け部２９とが載せられるパチンコ遊技装置の底面に形成された凹部３４に、水平方向に挿入されており、よって着脱自在である。
【００２６】
受け部２９は中央の孔３５に向かって傾斜しており、孔３５の下部には玉樋３７が備えられ、揚上装置７に接続する。つまり、図２（Ｂ）に示すように、傾斜面２７の下流側の端面２７Ａと、受け部２９及び玉樋３７の上流側の各端面２９Ａ・３７Ａとの間に、パチンコ玉９が落ちない程度の隙間Ｗを設けて配置することにより、パチンコ玉９の流下方向を横断する方向に１つのスリット３１を形成している。
【００２７】
玉箱４などから流下したパチンコ玉９は、レール１３の上に受けられ流下する。このとき、パチンコ玉９は、レール１３に設けられたスリット１５を通過する。しかし、ゴミやほこりは、スリット１５から落下し、ゴミ受け箱１７に受けられ収集される。
【００２８】
そして、パチンコ玉９は、レール１３の落下窓２３から下方へ落下する。さらに、別のレール１３に受けられ、同様に落下窓２３から下方へ落下する。そして、下部タンク５の受け傾斜台２５に受けられ、底部の傾斜面２７上を通って、略漏斗状の受け部２９に受けられる。しかし、ゴミやほこりは、スリット３１から落下し、ゴミ受けパン３３に受けられ収集される。パチンコ玉９は、受け部２９の中央の孔３５に落ち込み、玉樋３７を通って、揚上装置７に送られる。ゴミ受け箱１７やゴミ受けパン３３は、取り外され、中に収集されたゴミやほこりが捨てられる。
【００２９】
パチンコ玉流下路であるレール１３に入り込んだゴミやほこりは、スリット１５からレール１３の両側面側と底面側との外方に落下し、ゴミ受け箱１７に受けられ排除されるので、レール１３上でパチンコ玉９は汚れ難くなる。
【００３０】
また、パチンコ玉流下路である下部タンク５に入り込んだゴミやほこりは、スリット３１から玉樋３７の両側面側と底面側との外方に落下し、ゴミ受けパン３３に受けられ排除されるので、下部タンク５の底部でパチンコ玉９を汚し難くなる。
【００３１】
しかも、スリット１５、３１はパチンコ玉９の径の略半分（３０％から７０％）の大きさに形成してあるので、傾斜しているレール１３または傾斜面２７を転がってきたパチンコ玉９がスリット１５、３１に引っ掛かって止まると云った不都合が回避できる。
【００３２】
そして、スリット１５、３１の部分を段差にしたので、スリット１５、３１の開口面積を大きくでき、ゴミが侵入し落下しやすくできる。また、段差でパチンコ玉９に衝撃などが加わり、パチンコ玉に付着していたゴミやほこりを振り落とし、スリット１５、３１に落下させることができる。
【００３３】
また、ゴミ受け箱１７やゴミ受けパン３３を着脱自在にすることで、スリット１５、３１から受けたゴミやほこりをパチンコ遊技装置の外へ容易に捨てることができる。
【００３４】
（変形例）
以上の実施形態では、スリット１５、３１の部分には段差が設けられるものであったが、他の実施形態では必ずしも段差は設ける必要はない。
【００３５】
また、以上の実施形態では、スリット３１は傾斜面２７と受け部２９の間に設けられるものであったが、他の実施形態では傾斜面２７を分断して、傾斜面２７の途中に設けることも可能である。
【００３６】
また、以上の実施形態では、下部タンク５の底部のスリット３１にもゴミ受けパン３３を設けるものであったが、他の実施形態では必ずしもゴミ受けパン３３は設ける必要はなく、ゴミなどを溜めるために凹部３４のみを設けても良い。
【００３７】
また、以上の実施形態では、ゴミ受け箱１７は着脱可能なものであったが、他の実施形態では固定されており、長手方向の両端部が開閉して、ほこりを収集できるものであっても良い。
【００３８】
〔参考例〕
本発明の参考例を主に図５と図６に基づいて説明する。なお、理解を容易にするため、上記の本発明の実施形態と同じ部分には同一の符号を付した。
【００３９】
パチンコ玉９の循環路のうち、パチンコ玉９が自重により流下する流下路１１を図５に示す。この流下路１１は下部タンク５へパチンコ玉９を流下させるものであり、上向きのコの字断面を有し、コの字の内部にパチンコ玉を保持した状態で流下させるレール１３、すなわち、パチンコ玉９を流下させるために、傾斜状に配置された流路で構成されている。
【００４０】
そして、このレール１３は、参考例では、コの字の角部に、ゴミを落下させるための長孔１６が形成される。この長孔１６は、レール１３の長手方向を向いており、長手方向の左右両側にそれぞれ複数が形成される。左右の長孔１６の長手方向位置は、異なっており、よって千鳥状に位置する。
【００４１】
図６（Ａ）に示すように、参考例では、長孔１６の有する空間寸法Ｌ、すなわちレール１３の断面における長孔１６が有する空間の斜めの寸法Ｌは、パチンコ玉９が通れない程度、例えばパチンコ玉９の径Ｒの略半分（３０％から７０％）とする。
【００４２】
レール１３は、図示しない手段で、パチンコ遊技装置の内部に固定される。また、落下するゴミを受けるゴミ受け１８が、長孔１６を設けた箇所のレール１３の外周側に取り付けられる。このゴミ受け１８は、弾性を有する樹脂材からなり、レール１３のコの字よりも大きなコの字状の断面を有し、コの字の両端部が内側に屈曲し、爪部２０を形成する。コの字の中央には、凸部２２が形成され、レール１３の底面に接触してレール１３とゴミ受け１８との間に、ゴミを受けるための上下方向の隙間２４を確保する。爪部２０の寸法は、ゴミ受け１８とレール１３との水平方向の隙間２６や樹脂材の弾性を考慮して、レール１３の上端部、すなわちコの字の両端部に爪部２０が容易に係止し、また係止を外すことが可能な寸法とする。すなわち、ゴミ受け１８はレール１３に着脱自在である。
【００４３】
玉箱４などから流下したパチンコ玉９は、レール１３の上に受けられ流下する。このとき、パチンコ玉９は、レール１３に形成された長孔１６を通れず落下しないが、レール１３に入り込んだゴミは、長孔１６から下方へ落下する。
【００４４】
落下したゴミは、ゴミ受け１８に受けられる。受けられたゴミが多くなると、ゴミ受け１８は取り外される。この取り外しは、ゴミ受け１８を図６中の横方向にずらし、さらに、爪部２０の弾性を利用し、爪部２０を撓ませてレール１３の上端部から係止を外して行う。逆に、ゴミ受け１８の取付は、弾性を利用し、爪部２０を撓ませて係止させて行う。
【００４５】
長孔１６を通過したパチンコ玉９は、レール１３の折り返し部分に形成された落下窓２３から落下し、次のレール１３の上に受けられ、さらに、次の落下窓２３から落下し、下部タンク５の内部に落下する。
【００４６】
落下したパチンコ玉９は、受け傾斜台２５に受けられ、傾斜面２７を通り、漏斗状の受け部２９に受けられ、中央の孔３５に落ち込み、玉樋３７を通って揚上装置７に送られる。
【００４７】
パチンコ玉流下路であるレール１３に入り込んだゴミは、レール１３に形成された長孔１６から下方へ落下し排除されるので、パチンコ玉９は汚れ難くなる。
【００４８】
また、この長孔は、レール１３の長手方向に形成されているので、パチンコ玉９が通過するときの衝撃が小さくて済み振動が少ない。同時に、開口面積が大きくできゴミが落下しやすい。また、レール１３の断面のコの字の角部に形成され、この角部に溜まりやすいゴミが落下しやすい。
【００４９】
また、落下するゴミは、受けるゴミ受け１８に受けられ、パチンコ遊技装置の外に容易に捨てられる。このゴミ受け１８は、凸部２２および弾性を有する爪部２０の働きにより、簡単な構造で、レール１３の上端部へ容易に係止し、また係止を外すことが可能であり、着脱でき、安価に製造できる。
【００５０】
上記の参考例では、長孔１６は平面形状が四角形であったが、図６（Ｂ）に示すように、平面形状を細長い楕円とし、楕円の長軸方向をレール１３の長手方向、すなわち、パチンコ玉９の流下方向とし、短軸方向の径をパチンコ玉９が落ちない程度の径とするとともに、レール１３の底面に千鳥状に配置することができる。
【００５１】
これにより、パチンコ玉９が通過するときの衝撃を小さくし、開口面積が大きくできる。また、長孔の代わりに、レール１３の長手方向に向いた短いスリット孔を多数形成することも可能である。
【００５２】
また、以上の例では、ゴミ受け１８が取り付けられるものであったが、ゴミ受け１８は必ずしも必要ではない。
【００５３】
また、以上の実施形態では、ゴミ受け１８は着脱可能なものであったが、固定されていても良い。
【００５４】
さらに、レール１３が、スリット１５と長孔１６の両方を備えたものとしても良い。
【００５５】
【発明の効果】
以上説明したように、本発明のパチンコ遊技装置によれば、パチンコ玉流下路に入り込んだゴミは、スリットからレールの両側面側・底面側の外部に落下し排除されるので、パチンコ玉が汚れ難くなる。
【００５６】
特に、スリットの部分を段差にしてある場合には、段差の箇所からもゴミやほこりを落下させることができる。
【００５７】
また、スリットの部分の下にゴミ受けを着脱自在に取り付けた場合には、スリットから落下したゴミを受け、ゴミ受けを取り外しパチンコ遊技装置の外へ捨てることができる。
【図面の簡単な説明】
【図１】  本発明を適用した実施形態に係るパチンコ玉流下路の斜視図である。
【図２】  （Ａ）は図１の要部の拡大断面図であり、（Ｂ）は図１の他の要部の拡大断面図である。
【図３】  図１のパチンコ玉下部タンクを有するパチンコ遊技装置の全体斜視図である。
【図４】  図３のパチンコ遊技装置におけるパチンコ玉の流れを示す回路図である。
【図５】  参考例に係るパチンコ玉流下路の斜視図である。
【図６】  （Ａ）は参考例の要部の拡大断面図であり、（Ｂ）は参考例の他の形態の要部の拡大断面図である。
【符号の説明】
１  上部タンク
３  パチンコ遊技台
５  下部タンク
９  パチンコ玉
１３  レール
１５、３１  スリット
１６  長孔
１７  ゴミ受け箱
１８  ゴミ受け
１９  フランジ
２０  爪部
２１  リブ
２２  凸部
２３  落下窓
２４、２６  隙間
２７  傾斜面
２９  受け部
３３  ゴミ受けパン
３７  玉樋
１００  パチンコ遊技装置
【図１】
0004203139.tif 000002
【図２】
0004203139.tif 000003
【図３】
0004203139.tif 000004
【図４】
0004203139.tif 000005
【図５】
0004203139.tif 000006
【図６】
0004203139.tif 000007